(57)【要約】【課題】パブリッシャ内で管理されている処理済ディスクのディスク位置情報と、実際の処理済ディスクの保管位置が完全に一致していない場合が生じても、与えられたディスク排出指示に対応しない処理済ディスクが誤って排出されることを防止する。【解決手段】ユーザー認証情報が一致するか否かを判断する第１判断ステップ（ステップＳ２２）と、ユーザー認証情報が一致すると判断するとディスク位置情報に基づきユーザー認証情報に対応する処理済ディスクを処理済ディスクスタッカ３Ｂから、記憶媒体識別情報を読み取るディスクドライブ４へ搬送する第１搬送ステップ（ステップＳ２３）と、処理済ディスクから読み取られたディスク識別情報と情報記憶部１０７に記憶されたディスク識別情報とが一致するか否かを判断する第２判断ステップ（ステップＳ２５）と、ディスク識別情報が一致すると判断すると処理済ディスクをディスクドライブ４からディスク排出用スタッカ１０へ搬送する第２搬送ステップ（ステップＳ２６）と、を有する。【選択図】図８
2008065893.tif 000002
【特許請求の範囲】
【請求項１】
外部記憶媒体に対するデータ書き込み処理を行う書き込み処理部と、
前記データ書き込み処理が行われた処理済媒体を保管する処理済媒体スタッカと、
前記処理済媒体を外部へ排出する際に利用される媒体排出用スタッカと、
前記外部記憶媒体を特定する記憶媒体識別情報と、前記処理済媒体スタッカに保管された前記処理済媒体の保管位置を特定する媒体位置情報と、前記データ書き込み処理を指示したユーザーを特定するユーザー認証情報と、を関連付けて記憶する情報記憶部と、
処理済媒体排出指示とともに与えられたユーザー認証情報と前記情報記憶部に記憶されたユーザー認証情報とが一致するか否かを判断し、かつ前記処理済媒体から読み取られた記憶媒体識別情報と前記情報記憶部に記憶された記憶媒体識別情報とが一致するか否かを判断する識別情報判断部と、
前記識別情報判断部が、前記ユーザー認証情報が一致すると判断すると前記媒体位置情報に基づき前記ユーザー認証情報に対応する前記処理済媒体を前記処理済媒体スタッカから、前記記憶媒体識別情報を読み取る識別情報読取部へ搬送し、前記識別情報判断部が、前記記憶媒体識別情報が一致すると判断すると前記処理済媒体を前記識別情報読取部から前記媒体排出用スタッカへ搬送する外部記憶媒体搬送機構と、を有することを特徴とする外部記憶媒体処理装置。
【請求項２】
前記書き込み処理部は、前記データ書き込み処理に伴って、前記外部記憶媒体に前記記憶媒体識別情報を書き込むことを特徴とする請求項１に記載の外部記憶媒体処理装置。
【請求項３】
前記外部記憶媒体は、ディスクであって、
前記ディスクのレーベル面にレーベル印刷処理を行う印刷処理部を備え、
前記印刷処理部は、前記レーベル印刷処理に伴って、前記外部記憶媒体に前記記録媒体識別情報を印刷することを特徴とする請求項１に記載の外部記憶媒体処理装置。
【請求項４】
外部記憶媒体に対するデータ書き込み処理を行う書き込み処理部と、前記データ書き込み処理が行われた処理済媒体を保管する処理済媒体スタッカと、前記処理済媒体を外部へ排出する際に利用される媒体排出用スタッカと、を備えた外部記憶媒体処理装置の制御方法であって、
前記外部記憶媒体を特定する記憶媒体識別情報と、前記処理済媒体スタッカに保管された前記処理済媒体の保管位置を特定する媒体位置情報と、前記データ書き込み処理を指示したユーザーを特定するユーザー認証情報と、を関連付けて情報記憶部に記憶する記憶ステップと、
処理済媒体排出指示とともに与えられたユーザー認証情報と前記情報記憶部に記憶されているユーザー認証情報とが一致するか否かを判断する第１判断ステップと、
前記ユーザー認証情報が一致すると判断すると前記媒体位置情報に基づき前記ユーザー認証情報に対応する前記処理済媒体を前記処理済媒体スタッカから、前記記憶媒体識別情報を読み取る識別情報読取部へ搬送する第１搬送ステップと、
前記処理済媒体から読み取られた記憶媒体識別情報と前記情報記憶部に記憶された記憶媒体識別情報とが一致するか否かを判断する第２判断ステップと、
前記記憶媒体識別情報が一致すると判断すると前記処理済媒体を前記識別情報読取部から前記媒体排出用スタッカへ搬送する第２搬送ステップと、を有することを特徴とする外部記憶媒体処理装置の制御方法。
【請求項５】
前記外部記憶媒体に前記記憶媒体識別情報を書き込む、書き込みステップを有することを特徴とする請求項４に記載の外部記憶媒体処理装置の制御方法。
【請求項６】
前記外部記憶媒体は、ディスクであって、
前記ディスクのレーベル面に前記記録媒体識別情報を印刷する、印刷ステップを有することを特徴とする請求項４に記載の外部記憶媒体処理装置の制御方法。
【発明の詳細な説明】
【技術分野】
【０００１】
本発明は、書き込みデータを作成するデータ作成端末と通信可能に接続され、データ作成端末から送信された書き込みデータを外部記憶媒体に書き込み、外部へ排出する外部記憶媒体処理装置及び外部記憶媒体処理装置の制御方法に関する。
【背景技術】
【０００２】
データが記録されていないディスクにデータを記録するディスク処理装置が知られている。ディスク処理装置は、主としてディスクにデータを記録する少なくとも１つのディスクドライブ、ディスクに適正に記録が行なわれたかどうかを検査する検査装置、ディスク記録面の裏側に貼着されているレーベル面に印刷処理を行なうプリンタ、ディスクを保管する各種スタッカ（文献中の表記はストッカ）、及びディスクを上記した各装置間で搬送する搬送装置等を具備した構成となっている(特許文献１参照)。
【０００３】
さらに、特許文献１のディスク処理装置は、未記録品スタッカ、適正品スタッカ及び不良品スタッカの３種類のスタッカを備え、データが記録されていない未記録ディスクは未記録品スタッカに保管され、検査装置によってデータが適正に記録されたと判断された適正品ディスクは適正品スタッカに保管され、検査装置によってデータが適正に記録されなかったと判断された失敗ディスクは不良品スタッカに保管されるよう構成されている。
【特許文献１】特開２０００−２６０１７２号公報
【発明の開示】
【発明が解決しようとする課題】
【０００４】
ここで、特許文献１に記載したようなディスク処理装置を、データ処理機能を備えた複数のクライアント端末とＬＡＮ等のネットワークによって通信可能に接続した場合を考える。この場合、複数のクライアント端末から送信されるディスク作成指示に応じてデータ書き込み処理を行い、処理済ディスクはスタッカへ次々と積層されていく。このとき、スタッカに積層された各処理済ディスクの位置データがディスク作成指示を出したユーザー情報と関連付けられていれば、ディスク処理装置へのユーザー情報（識別認証情報）入力により、該当ユーザーが作成した処理済ディスクのみをディスク処理装置外部に排出するように構成することができる。これにより、識別認証情報の入力者のみが、作成済ディスクを取り出すことができ、例えば、処理済ディスクに書き込まれたデータが機密データであるような場合には、機密データの外部流出を防止することもできる。
【０００５】
ところで、識別認証情報の入力により、ディスク作成装置内に格納された各処理済ディスクを装置外に排出する際には、ディスク作成装置では、装置内で管理されている処理済ディスクの位置データと、実際の処理済ディスクの位置が完全に一致していることが、正しく排出できる条件となる。装置内の物理的な位置と位置データとが一致していないと、ディスク搬送機構によってスタッカから正しい処理済ディスクを取り出して外部へ排出することができないからである。
【０００６】
しかしながら、ユーザーの誤操作等があった場合、悪意者によって関係のないディスクがスタッカに置かれた場合、ディスク搬送機構が一度に処理済ディスクを複数枚搬送してしまった場合等には、この条件が保証できるとは限らない。そのため、位置データと処理済ディスクの物理的な位置が一致しない状況が発生し、ユーザーが意図する処理済ディスク以外の間違ったディスクが排出される場合が生じ、別のユーザーに機密データ等が書き込まれた処理済ディスクが渡されてしまい、データ漏洩に繋がりかねないという問題がある。
【０００７】
本発明は、上記課題を鑑み、外部記憶媒体処理装置内で管理されている外部記憶媒体の媒体位置情報と、実際の外部記憶媒体の保管位置が完全に一致していない場合が生じても、与えられた処理済媒体排出指示に対応しない外部記憶媒体が誤って排出されることを防止することを目的とする。
【課題を解決するための手段】
【０００８】
本発明は、外部記憶媒体に対するデータ書き込み処理を行う書き込み処理部と、前記データ書き込み処理が行われた処理済媒体を保管する処理済媒体スタッカと、前記処理済媒体を外部へ排出する際に利用される媒体排出用スタッカと、前記外部記憶媒体を特定する記憶媒体識別情報と、前記処理済媒体スタッカに保管された前記処理済媒体の保管位置を特定する媒体位置情報と、前記データ書き込み処理を指示したユーザーを特定するユーザー認証情報と、を関連付けて記憶する情報記憶部と、処理済媒体排出指示とともに与えられたユーザー認証情報と前記情報記憶部に記憶されたユーザー認証情報とが一致するか否かを判断し、かつ前記処理済媒体から読み取られた記憶媒体識別情報と前記情報記憶部に記憶された記憶媒体識別情報とが一致するか否かを判断する識別情報判断部と、前記識別情報判断部が、前記ユーザー認証情報が一致すると判断すると前記媒体位置情報に基づき前記ユーザー認証情報に対応する前記処理済媒体を前記処理済媒体スタッカから、前記記憶媒体識別情報を読み取る識別情報読取部へ搬送し、前記識別情報判断部が、前記記憶媒体識別情報が一致すると判断すると前記処理済媒体を前記識別情報読取部から前記媒体排出用スタッカへ搬送する外部記憶媒体搬送機構と、を有することを特徴とする。
また、本発明は、外部記憶媒体に対するデータ書き込み処理を行う書き込み処理部と、前記データ書き込み処理が行われた処理済媒体を保管する処理済媒体スタッカと、前記処理済媒体を外部へ排出する際に利用される媒体排出用スタッカと、を備えた外部記憶媒体処理装置の制御方法であって、前記外部記憶媒体を特定する記憶媒体識別情報と、前記処理済媒体スタッカに保管された前記処理済媒体の保管位置を特定する媒体位置情報と、前記データ書き込み処理を指示したユーザーを特定するユーザー認証情報と、を関連付けて情報記憶部に記憶する記憶ステップと、処理済媒体排出指示とともに与えられたユーザー認証情報と前記情報記憶部に記憶されているユーザー認証情報とが一致するか否かを判断する第１判断ステップと、前記ユーザー認証情報が一致すると判断すると前記媒体位置情報に基づき前記ユーザー認証情報に対応する前記処理済媒体を前記処理済媒体スタッカから、前記記憶媒体識別情報を読み取る識別情報読取部へ搬送する第１搬送ステップと、前記処理済媒体から読み取られた記憶媒体識別情報と前記情報記憶部に記憶された記憶媒体識別情報とが一致するか否かを判断する第２判断ステップと、前記記憶媒体識別情報が一致すると判断すると前記処理済媒体を前記識別情報読取部から前記媒体排出用スタッカへ搬送する第２搬送ステップと、を有することを特徴とする。
【０００９】
上記構成によれば、処理済媒体排出指示とともに与えられたユーザー認証情報が情報記憶部に記憶されたユーザー認証情報と一致すると、媒体位置情報に基づきユーザー認証情報に対応する処理済媒体が処理済媒体スタッカのどこに保管されているのかを認識することができる。したがって、処理済媒体スタッカに複数のユーザー認証情報にそれぞれ対応する複数の処理済媒体が保管されていても、入力された１のユーザー認証情報に対応する１の処理済媒体の保管位置を正確に把握し、処理済媒体スタッカから取り出すことが可能である。
【００１０】
また、上記構成によれば、処理済媒体から読み取られた記憶媒体識別情報が情報記憶部に記憶された記憶媒体識別情報と一致すると、処理済媒体を識別情報読取部から媒体排出用スタッカへ搬送する。すなわち、本発明は、ユーザー認証情報と記憶媒体識別情報との２つの情報が、情報記憶部に記憶されている情報と一致しない限り外部へ排出されることがない。
【００１１】
したがって例えば、ユーザー認証情報が一致していても、外部記憶媒体処理装置内で管理されている外部記憶媒体の媒体位置情報と、実際の外部記憶媒体の保管位置が完全に一致していなかった場合には、読み取られた記憶媒体識別情報が、ユーザー認証情報に関連付けられた記憶媒体識別情報と異なるため、外部に排出されない。つまり、与えられた処理済媒体排出指示に対応しない外部記憶媒体が誤って排出されることを防止することが可能である。
【００１２】
また、本発明において、前記書き込み処理部は、前記データ書き込み処理に伴って、前記外部記憶媒体に前記記憶媒体識別情報を書き込むことを特徴とする。
また、本発明は、前記外部記憶媒体に前記記憶媒体識別情報を書き込む、書き込みステップを有することを特徴とする。
【００１３】
上記構成によれば、予め記憶媒体識別情報を備えていない外部記憶媒体を使って、記憶媒体発行処理を行うことも可能である。すなわち、ユーザーは記憶媒体発行処理に先立って各外部記憶媒体にシリアルＮｏ．等の記憶媒体識別情報を付与する処理を必要としない。記憶媒体識別情報はデータ書き込み処理において初めて外部記憶媒体に付与されるため、ユーザーは何の識別情報も付与されていない外部記憶媒体に対する外部記憶媒体発行処理を指示することも可能である。
【００１４】
また、本発明において、前記外部記憶媒体は、ディスクであって、前記ディスクのレーベル面にレーベル印刷処理を行う印刷処理部を備え、前記印刷処理部は、前記レーベル印刷処理に伴って、前記外部記憶媒体に前記記録媒体識別情報を印刷することを特徴とする。
また、本発明は、前記外部記憶媒体は、ディスクであって、前記ディスクのレーベル面に前記記録媒体識別情報を印刷する、印刷ステップを有することを特徴とする請求項４に記載の外部記憶媒体処理装置の制御方法。
【００１５】
上記構成によれば、記憶媒体識別情報はレーベル印刷処理において初めて外部記憶媒体に付与されるため、ユーザーは何の識別情報も付与されていない外部記憶媒体に対する外部記憶媒体発行処理を指示することも可能である。
【発明を実施するための最良の形態】
【００１６】
図１は本実施形態のパブリッシャ（外部記憶媒体処理装置）をネットワークに接続した場合のネットワーク構成図である。例えば、企業内の社内ＬＡＮ９０に適用したものである。ＬＡＮ９０には、パブリッシャ１と、クライアントＰＣ９１，９２，９３，９４とが通信可能に接続されている。
【００１７】
パブリッシャ１（外部記憶媒体処理装置）は、ＣＤ、ＤＶＤ、ＢｌｕｅＲａｙ、ＨＤ−ＤＶＤ等のディスクの記録面にデータを書き込んだり、レーベル面に印刷を行う、ディスク作成装置とである。パブリッシャ１の内部には、データ書き込み処理が行われていない複数枚の未使用のブランクディスクをスタック可能なブランクディスクスタッカと、データ書き込み処理及びレーベルプリンタによるレーベル印刷処理が行われた処理済ディスク（処理済媒体）が保管される処理済ディスクスタッカ（処理済媒体スタッカ）と、処理済ディスクを外部へ排出する際に利用されるディスク排出用スタッカ（媒体排出用スタッカ）と、が内蔵されている。
【００１８】
クライアントＰＣ９１，９２，９３，９４は、一般的に用いられているＰＣ(パーソナルコンピュータ)と同一構成であり、キーボードやマウス等の入力装置９１Ａ，９２Ａ，９３Ａ，９４Ａおよびディスプレイ等の表示装置９１Ｂ，９２Ｂ，９３Ｂ，９４Ｂが接続されて構成されている。
【００１９】
各クライアントＰＣ９１，９２，９３，９４で作成された書き込みデータやレーベル画像データは、ディスク作成指示とともに、ＬＡＮ９０を介してパブリッシャ１へ送信され、パブリッシャ１が書き込みデータ及びレーベル画像データをもとにディスク作成処理を行う。なお、各クライアントＰＣ９１，９２，９３，９４からのログインは、予めユーザーに付与されているユーザーＩＤおよびパスワード（ユーザー認証情報）、あるいは、ユーザーＩＤおよび生体認証情報（ユーザー認証情報）などに基づき許可されるようになっている。
【００２０】
（パブリッシャの具体的構成例）
次に、パブリッシャ１の具体的構成について説明する。図２はパブリッシャ１の外観斜視図、図３は、図２のパブリッシャの開閉扉およびケースの一部を取り外した状態の斜視図、図４は、パブリッシャの機械的構成を示した模式図である。
【００２１】
図２に示すように、パブリッシャ１は、ほぼ直方体形状のケース８を備えている。このケース８の前面には、左右に開閉可能な開閉扉９、３３が取り付けられている。開閉扉９、３３の下側右端部には、表示ランプ、操作ボタン、電源ボタンなどが配列された操作面３４が設けられている。操作面３４は、ＩＤカードリーダ、入力用のテンキー、例えば指紋センサ等の生体認証用の読み取り部等から構成される個人認証部を備えており、予め登録されている者のみが開閉扉９を開閉できるようになっている。また、当該操作面３４の隣には、ディスク排出スタッカ１０（媒体排出用スタッカ）が設置され、特定のユーザーに対してのみ処理済ディスク２Ｂを発行するように構成されている。
【００２２】
左側の開閉扉３３は処理対象ディスク２Ｂのレーベル面にレーベル印刷を行う図示しないレーベルプリンタのインクカートリッジの交換時に開閉するためのものである。当該開閉扉３３を開けると、カートリッジ装着部３６が露出するようになっている。本例では上下二段のカートリッジ装着部３６が形成されている。
【００２３】
図３を参照して説明すると、パブリッシャ１のケース８の内部には、その右側の部位において、データ書き込み処理が行われていない複数枚の未使用のブランクディスク２Ａ（外部記憶媒体）をスタック可能なブランクディスクスタッカ３Ａと、データ書き込み処理及びレーベルプリンタによるレーベル印刷処理が行われた処理済ディスク２Ｂ（処理済媒体）が保管される処理済ディスクスタッカ３Ｂ（処理済媒体スタッカ）が同軸状態で上下に配置されている。ブランクディスクスタッカ３Ａは、前方に水平に引き出し可能なスライド板４１と、このスライド板４１の上に垂直に配置されている左右一対の円弧状の枠板４２、４３とを備えている。これらにより、ブランクディスク２Ａを上側から受け入れ、同軸状態に積層した状態で収納可能なスタッカが構成されている。ブランクディスクスタッカ３Ａにブランクディスク２Ａを収納あるいは補充する作業は、開閉扉９を開け、スライド板４１を手前に引き出すことにより、簡単に行うことが可能となっている。
【００２４】
下側の処理済ディスクスタッカ３Ｂも同一構造となっており、前方に水平に引き出し可能なスライド板４４と、この上面に垂直に配置されている左右一対の円弧状の枠板４５、４６とを備えている。これらによって、処理済ディスク２Ｂを上側から受け入れ、同軸状態で積層した状態で収納可能なスタッカが構成されている。
【００２５】
図３及び図４に示すように、これらのブランクディスクスタッカ３Ａおよび処理済ディスクスタッカ３Ｂの後側には、ディスク搬送機構６が配置されている。ディスク搬送機構６は、ケース８に垂直に取り付けられているシャーシ５１と、このシャーシ５１の上下の水平支持板部分５２、５３の間に垂直に架け渡されている垂直ガイド軸５４と、この垂直ガイド軸５４に取り付けたディスクキャリア５５と、を備えている。ディスクキャリア５５は、垂直ガイド軸５４に沿って昇降可能であるとともに、当該垂直ガイド軸５４を中心に左右に旋回可能である。ディスク搬送機構６によってディスク排出スタッカ１０に搬送されてきた処理済ディスク２Ｂは、当該ディスク排出スタッカ１０から外部に取り出すことが可能になっている。
【００２６】
図４に示すように、上下のブランクディスクスタッカ３Ａ、処理済ディスクスタッカ３Ｂおよびディスク搬送機構６の側方の部位には、上側にディスクドライブ４が配置され、下側にレーベルプリンタのディスクトレイ８１が配置するようになっている。ディスクドライブ４は、ブランクディスク２Ａへのデータ書き込み位置と、ディスクの受け渡しを行うディスク受け渡し位置との間を移動可能なディスクトレイ４ａを有している。また、レーベルプリンタのディスクトレイ８１は、ディスクのレーベル面へのレーベル印刷可能な位置とディスクの受け渡しを行うディスク受け渡し位置との間を移動可能に構成されている。
【００２７】
また、ディスクトレイ８１の下方には、図示しない汎用スタッカが配置されている。後述する通常モードでは使用されることはないが、処理モードによっては、この汎用スタッカには、データ書き込み処理に失敗した失敗ディスクが保管されたり、処理済ディスク２Ｂが保管されるように設定しておくことも可能である。
【００２８】
図３では、上側のディスクドライブ４のディスクトレイ４ａが手前に引き出されたディスク受け渡し位置４Ａにある状態、および、下側のレーベルプリンタのディスクトレイ８１が手前側のディスク受け渡し位置８１Ａにある状態が示されている。また、レーベルプリンタはインクジェットプリンタであり、インク供給源として各色のインクカートリッジ８２が用いられており、これらのインクカートリッジ８２がカートリッジ装着部３６に前方から装着されている。
【００２９】
ブランクディスクスタッカ３Ａおよび処理済ディスクスタッカ３Ｂの左右一対の枠板４２、４３の間、４５、４６の間には、ディスク搬送機構６のディスクキャリア５５が昇降可能な隙間が形成されている。また、これら上下のスタッカ３Ａ、３Ｂの間には、ディスクキャリア５５が水平に旋回して、ブランクディスクスタッカ３Ａの真上に位置できるように、隙間が開いている。さらに、上側のディスクトレイ４ａをディスクドライブ４に押し込むと、ディスク搬送機構６のディスクキャリア５５を下降させて、ディスク受け渡し位置にあるディスクトレイ８１にアクセス可能となっている。したがって、ディスクキャリア５５の昇降および左右への旋回の組み合わせ動作によって、ディスクを各部分に搬送することが可能である。
【００３０】
（パブリッシャ１の内部処理について）
パブリッシャ１は、ブランクディスク２Ａ及び処理済ディスク２Ｂが、ブランクディスクスタッカ３Ａ、処理済ディスクスタッカ３Ｂ、ディスク排出スタッカ１０、ディスクドライブ４のディスクトレイ４ａ及びレーベルプリンタのディスクトレイ８１間をディスク搬送機構６を介して搬送されるようになっている。以下、パブリッシャ１の内部処理について図４〜６を参照して詳細に説明する。図５は、図３に示した内部制御装置９０の内部処理を表した制御ブロック図、図６は、図５に示した情報記憶部の記憶状態を説明する模式図である。
【００３１】
図４及び図５に示すように、パブリッシャ１は、各部の制御を司る内部制御装置１００を有し、パブリッシャ１の動作制御を行う。具体的には、ディスクドライブ４、レーベルプリンタ、ディスク搬送機構６等の動作を制御する。内部制御装置１００は、クライアントＰＣ９１，９２，９３，９４からネットワーク９０を介して送信される各種コマンド、書き込みデータやレーベル画像データを受信する受信部１０１と、受信部１０１が受信したコマンド及びデータを一時的に保持する受信バッファ１０２を有している。状態管理部１１０は、受信バッファ１０２に保持されたコマンド内容に応じて、各構成部へ所定の処理を実行するよう指示したり、内部制御装置内の各制御機能部の状態を総合的に管理する。
【００３２】
ディスクドライブ制御部１０３（書き込み処理部）は、受信した書き込みデータをブランクディスク２Ａへ書き込むデータ書き込み処理を制御する。ディスクドライブ４が備えるディスクを回転させるためのモーター、ディスクの記録面に書き込みを行なうヘッドやディスクトレイ４ａの駆動制御を行う。また、ディスクドライブ制御部１０３は、本実施形態では、処理済ディスク２Ｂに書き込まれた書き込みデータを読み出すことが可能となっており、処理済ディスク排出指示に応じて処理済ディスク２Ｂに書き込まれたディスク識別情報を読み出す（この場合は、識別情報読取部として機能する。）。ディスク識別情報については、後ほど説明する。
【００３３】
プリンタ制御部１０４（印刷処理部）は、レーベルプリンタが備える印刷ヘッド、キャリッジ等の駆動制御を行う。図示しないレーベル画像生成部によって、受信したレーベル画像データをもとにデータ展開処理が行われ、印刷ヘッドのノズル列に応じて生成されたドットパターンデータに基づき、ディスクのレーベル面にレーベル印刷処理を実行する。
【００３４】
ディスク搬送機構制御部１０５は、状態管理部１１０を介して指示されるディスク搬送指示に応じてディスク搬送機構６の動作を制御する。図示せぬモーターを駆動させて、ディスクキャリア５５を垂直昇降あるいは水平旋回させ、指示に応じた搬送先へ各ディスクを搬送させる。また本実施形態では、処理済ディスク排出指示に応じて、処理済ディスク２Ｂをディスク排出スタッカ１０へ搬送するよう制御する。処理済ディスク排出指示とは、操作面３４の操作ボタンを介して与えられる排出指示である。
【００３５】
識別情報判断部１０６は、処理済ディスク排出指示とともに与えられた、ユーザーＩＤおよびパスワード、あるいはユーザーＩＤおよび生体認証情報（ユーザー認証情報）が、後述する情報記憶部１０７に予め記憶されているユーザー認証情報と一致するか否かを判断する。また、ディスクドライブ制御部１０３が読み取った処理済ディスク２Ｂに書き込まれたディスク識別情報が、ユーザー認証情報と関連付けて情報記憶部１０７に記憶されているディスク識別情報と一致するか否かを判断する。
【００３６】
操作部１１１は、操作面３４に設置された操作ボタン、電源ボタン、テンキー、指紋センサ等からの指示を受信し、状態管理部１１０を介して、指示に応じた動作を各構成部へ指示する。
【００３７】
送信部１０９は、状態管理部１１０を介して通知される各制御機能部の処理状態をネットワーク９０に接続されている各クライアントＰＣへ通知するためのステータス情報を生成し、送信する。例えば、ディスクドライブ制御部１０３によるデータ書き込み処理に失敗した場合には、失敗通知を受けた状態管理部１１０が送信部１０９を介して書き込み失敗通知をクライアントＰＣ９１，９２，９３，９４へ送信する。
【００３８】
情報記憶部１０７は、パブリッシャ１の各種情報を記憶するための領域であり、例えば図示せぬフラッシュＲＯＭ内の所定の領域に形成される。図６に示すように、ユーザー認証情報と関連付けて、ディスク識別情報（記憶媒体識別情報）と、処理済ディスクスタッカ３Ｂに保管された処理済ディスク２Ａの保管位置を特定するディスク位置情報（媒体位置情報）とを記憶する。本実施形態では、ネットワーク９０に接続されているクライアントＰＣ９１，９２，９３，９４の各ユーザーに与えられている４つのユーザー認証情報が予め登録されており、各クライアントＰＣ９１，９２，９３，９４からディスク作成指示を受信後、所定のタイミングで、ユーザー認証情報に対応させてディスク識別情報及びディスク位置情報を記憶する。
【００３９】
（パブリッシャ１のディスク作成処理について）
つぎに、パブリッシャ１が行うディスク作成処理について図６及び図７を参照して説明する。図７は、パブリッシャ１が行うディスク作成処理を説明するフローチャートである。ここでは、予め次のようなユーザー認証情報が登録されているものとして説明する。
＜クライアントＰＣ９１のユーザー認証情報＞
ＩＤ：ｕｓｅｒ０１、パスワード：ＡＡＡ
＜クライアントＰＣ９２のユーザー認証情報＞
ＩＤ：ｕｓｅｒ０２、パスワード：ＢＢＢ
＜クライアントＰＣ９３のユーザー認証情報＞
ＩＤ：ｕｓｅｒ０３、パスワード：ＣＣＣ
＜クライアントＰＣ９４のユーザー認証情報＞
ＩＤ：ｕｓｅｒ０４、パスワード：ＤＤＤ
【００４０】
まず、クライアントＰＣ９１からネットワーク９０を介して送信された、ディスク作成指示を受信する（ステップＳ１１：Ｙｅｓ）。ディスク作成指示には、クライアントＰＣ９１がネットワーク９０へログインする際に入力されたユーザー認証情報（ＩＤ：ｕｓｅｒ０１とパスワード：００１）、書き込みデータ等が含まれる。次に、ディスク搬送機構６が、ブランクディスクスタッカ３Ａからブランクディスク２Ａを取り出し、ディスクドライブ４へ搬送する（ステップＳ１２）。ディスクドライブ４は、搬送されてきたブランディスク２Ａに対して書き込みデータを書き込むとともに、ブランクディスク２Ａを特定するディスク識別情報を書き込む（ステップＳ１３）。このディスク識別情報は、例えば、ディスク作成指示の受信をトリガーとして状態管理部１１０からディスクドライブ制御部１０３に通知される値であって、各ブランクディスク２Ａに付与される固有の値である。ここでは、固有の値として「００１」が付与されたものとする。
【００４１】
書き込み処理が行われたディスクは、レーベルプリンタへ搬送されレーベル画像が印刷される（ステップＳ１４）。レーベル画像が印刷されたディスクは処理済ディスクとして、処理済ディスクスタッカ３Ｂへ搬送され、保管される（ステップＳ１５）。状態管理部１１０は、ディスク搬送機構制御部１０５による処理済ディスクスタッカ３Ｂへの搬送指示をトリガーとして、処理済ディスクスタッカ３Ｂの１層目（ディスク位置情報）と、ユーザー認証情報と、ディスク識別情報と、を関連付けて情報記憶部１０７に記憶させる（ステップＳ１６）。なお、ステップＳ１６は、ステップＳ１４あるいはステップＳ１５の前に行うようにしてもよい。
【００４２】
ここでは、図６に示すように、ディスク位置情報として「処理済ディスクスタッカ３Ｂ−１」（処理済ディスクスタッカ３Ｂの１枚目を意味する）と、ユーザー認証情報「ＩＤ：ｕｓｅｒ０１、パスワード：ＡＡＡ」と、ディスク識別情報「００１」と、が関連付けて記憶される。
【００４３】
同様に、クライアントＰＣ９２からネットワーク９０を介してディスク作成指示を受信すると、ディスク位置情報として「処理済ディスクスタッカ３Ｂ−２」（処理済ディスクスタッカ３Ｂの２枚目を意味する）と、ユーザー認証情報「ＩＤ：ｕｓｅｒ０２、パスワード：ＢＢＢ」と、ディスク識別情報「００２」と、が関連付けて記憶される。
【００４４】
同様に、クライアントＰＣ９３からネットワーク９０を介してディスク作成指示を受信すると、ディスク位置情報として「処理済ディスクスタッカ３Ｂ−３」（処理済ディスクスタッカ３Ｂの３枚目を意味する）と、ユーザー認証情報「ＩＤ：ｕｓｅｒ０３、パスワード：ＣＣＣ」と、ディスク識別情報「００３」と、が関連付けて記憶される。
【００４５】
同様に、クライアントＰＣ９４からネットワーク９０を介してディスク作成指示を受信すると、ディスク位置情報として「処理済ディスクスタッカ３Ｂ−４」（処理済ディスクスタッカ３Ｂの４枚目を意味する）と、ユーザー認証情報「ＩＤ：ｕｓｅｒ０４、パスワード：ＤＤＤ」と、ディスク識別情報「００４」と、が関連付けて記憶される。
【００４６】
上述した処理を行った結果、処理済ディスクスタッカ３Ｂには合計４枚の処理済ディスク２Ｂが保管されたことになる。次に、この４枚の処理済ディスク２Ｂのうち、処理済ディスクスタッカ３Ｂの３枚目に保管された処理済ディスク２Ｂを排出する場合を例として、パブリッシャ１が行うディスク排出処理を以下に説明する。
（パブリッシャ１のディスク排出処理について）
パブリッシャ１が行うディスク排出処理について図６及び図８を参照して説明する。図８は、パブリッシャ１が行うディスク排出処理を説明するフローチャートである。
【００４７】
クライアントＰＣ９３からディスク作成指示を送信したユーザーは、処理済ディスク２Ｂを取り出しにパブリッシャ１が設置されているところまで行き、パブリッシャ１の操作ボタンを押してディスク排出指示を入力する。そして、自らに与えられているユーザー認証情報「ＩＤ：ｕｓｅｒ０３、パスワード：ＣＣＣ」をテンキーから入力する。
【００４８】
パブリッシャ１の操作部１１１が、ディスク排出指示、ユーザー認証情報を受信すると（ステップＳ２１：Ｙｅｓ）、識別情報判断部１０６が、入力されたユーザー認証情報が情報記憶部１０７に記憶されているユーザー認証情報と一致するか否かを判断する（ステップＳ２２）。ここでは、情報記憶部１０７には、入力されたユーザー認証情報と同一のユーザー認証情報「ＩＤ：ｕｓｅｒ０３、パスワード：ＣＣＣ」が記憶されているので、識別情報判断部１０６は一致したと判断する（ステップＳ２２：Ｙｅｓ）。この時点で、パブリッシャ１に対してアクセスした者が正当な者であることが確認されることになる。もし、ユーザー認証情報が一致しなかった場合には、ユーザー認証情報の入力者はパブリッシャ１に対して不正アクセスを試みた悪意者であると考えられるので、次の処理を行わないようにする（ステップＳ２２：Ｎｏ）。
【００４９】
状態管理部１１０は、情報記憶部１０７を参照し、入力されたユーザー認証情報に対応するディスク識別情報「００３」とディスク位置情報「処理済ディスクスタッカ３Ｂ−３」を読み出し、処理済ディスクスタッカ３Ｂの３枚目に保管されている処理済ディスク２Ｂをディスクドライバ４へ搬送するようディスク搬送機構制御部１０５に対して指示する。これに応じて、ディスク搬送機構６が搬送処理を行う（ステップＳ２３）。
【００５０】
ディスクドライブ制御部１０３は、ディスクドライブ４を駆動させて、処理済ディスク２Ｂに書き込まれたディスク識別情報を読み出し（ステップＳ２４）、識別情報判断部１０６が、読み出されたディスク識別情報と、情報記憶部１０７から読み出されたディスク識別情報「００３」が一致するか否かを判断し、一致していればディスク搬送機構６が、処理済ディスク２Ｂをディスクドライブ４からディスク排出用スタッカ１０へ搬送する（ステップＳ２５：Ｙｅｓ、ステップＳ２６）。もし、ステップＳ２５で、ディスク識別情報が一致しなかった場合には、処理済ディスクスタッカ３Ｂから取り出された処理済ディスク２Ｂは異なるユーザー認証情報に対応する処理済ディスク２Ｂであり、つまり、処理済ディスクスタッカ３Ｂの３枚目に格納された処理済ディスク２Ｂを正しく取り出すことができなかったと考えられる。このような場合は、ディスク搬送機構６は誤って取り出された処理済ディスク２Ｂを、ディスク排出用スタッカ１０へ搬送しないこととしておく（ステップＳ２５：Ｎｏ）。
【００５１】
また、本実施形態では、ディスク識別情報の書き込み及び読み出しをディスクドライブ４が行う場合を説明したが、他の方法を採用することも可能である。具体的には、ディスク作成処理におけるステップＳ１４で、レーベル画像とともにディスク識別情報をレーベル面に印刷するよう設定すればよい。この場合には、レーベル面の画像を読み取る画像読取装置（識別情報読取部）を備え、ディスク排出処理におけるステップＳ２３で処理済ディスクを画像読取装置へ搬送し、ステップＳ２４でレーベル面に印刷されたディスク識別情報を読み取るよう設定することができる。
【００５２】
なお、本実施形態では、ディスク識別情報はディスク作成処理の中で付与される構成となっているが、予め、ディスク識別情報が付与されたブランクディスクを採用してもよい。この場合には、ステップＳ１３のデータ書き込み処理と前後して、既にディスクに付与されているディスク識別情報をディスクドライブ４が読み取り、情報記憶部１０７へ記憶させればよい。また、レーベル面に予めディスク識別情報が印刷されたディスクを採用する場合には、画像読取装置によってディスク識別情報を読み取り、情報記憶部１０７へ記憶させればよい。
【００５３】
このように、本実施形態のパブリッシャ１は、ユーザー認証情報が情報記憶部１０７に記憶されたユーザー認証情報と一致すると、ディスク位置情報に基づきユーザー認証情報に対応する処理済ディスク２Ａが処理済ディスクスタッカ３Ｂの何枚目に保管されているのかを認識することができる。したがって、処理済ディスクスタッカに４つのユーザー認証情報にそれぞれ対応する４つの処理済ディスク２Ｃが保管されていても、入力されたユーザー認証情報「ＩＤ：ｕｓｅｒ０３、パスワード：ＣＣＣ」に対応する１枚の処理済ディスクの積層位置を正確に把握し、処理済ディスクスタッカ３Ｂから取り出すことが可能である。
【００５４】
また、本実施形態のパブリッシャ１は、処理済ディスク２Ｂから読み取られたディスク識別情報が情報記憶部１０７に記憶されたディスク識別情報と一致しない限り、処理済ディスク２Ｂをディスク排出用スタッカ１０へ搬送することがない。したがって、ユーザー認証情報が一致していても、情報記憶部１０７に記憶されている処理済ディスク２Ｃのディスク位置情報と、実際の処理済ディスクの積層位置が完全に一致していなかった場合には、読み取られたディスク識別情報が、ユーザー認証情報に関連付けられたディスク識別情報と異なるため、外部に排出されないようになっている。
【００５５】
したがって、ユーザーの誤操作等があった場合、悪意者によって関係のないディスクが処理済ディスクスタッカ３Ｂに置かれた場合、ディスク搬送機構６が一度に処理済ディスク２Ｂを複数枚搬送してしまった場合等において、ユーザー認証情報に対応していないディスク識別情報をもつ別の処理済ディスク２Ｂが、処理済ディスクスタッカ３Ｂから取り出されても、与えられたユーザー認証情報に対応しないディスク識別情報を有する処理済ディスク２Ｂが誤って排出されることを防止することができる。
【図面の簡単な説明】
【００５６】
【図１】本実施形態のパブリッシャをネットワークに接続した場合のネットワーク構成図である。
【図２】本実施形態のパブリッシャを示す外観斜視図である。
【図３】図２のパブリッシャの開閉扉およびケースの一部を取り外した状態の斜視図である。
【図４】本実施形態のパブリッシャの機械的構成を示した模式図である。
【図５】図４に示した内部制御装置の内部処理を表した制御ブロック図である。
【図６】図５に示した情報記憶部の記憶状態を説明する模式図である。
【図７】本実施形態のパブリッシャが行うディスク作成処理を説明するフローチャートである。
【図８】本実施形態のパブリッシャが行うディスク排出処理を説明するフローチャートである。
【符号の説明】
【００５７】
１：パブリッシャ、２Ａ：ブランクディスク、２Ｂ：処理済ディスク、３Ａ：ブランクディスクスタッカ、３Ｂ：処理済ディスクスタッカ、４：ディスクドライブ、６：ディスク搬送機構、１０：ディスク排出スタッカ、１００：内部制御装置、１０３：ディスクドライブ制御部、１０４：プリンタ制御部、１０５：ディスク搬送機構制御部、１０６：識別情報判断部、１０７：情報記憶部、１１０：状態管理部、１１１：操作部
【図１】
2008065893.tif 000003
【図２】
2008065893.tif 000004
【図３】
2008065893.tif 000005
【図４】
2008065893.tif 000006
【図５】
2008065893.tif 000007
【図６】
2008065893.tif 000008
【図７】
2008065893.tif 000009
【図８】
2008065893.tif 000010